(57)【要約】【課題】通信量を抑えることができるデータ配信システム及びデータ配信方法を提供する。【解決手段】データ送信装置３０は、撮像画像内の部分画像に係るパケットのペイロード部の情報から部分画像の撮像画像内の位置を特定し、特定した位置に関する位置情報をパケットのヘッダ部に含ませることにより拡張パケットを生成して配信制御装置４０に送信し、画像解析装置６０は、撮像画像を画像解析し、撮像画像に関心対象が写っている位置を示す関心位置情報を生成して配信制御装置に送信し、配信制御装置は、受信した拡張パケットの内、ヘッダ部に含まれる位置情報に係る位置が、受信した関心位置情報に係る位置に対応する拡張パケットを特定する特定部４３４と、特定した拡張パケットに基づくパケットを端末装置に配信するパケット配信部４３６を有する。【選択図】図１
2018129588.tif 000002
【特許請求の範囲】
【請求項１】
データ送信装置と、画像解析装置と、配信制御装置とを有するデータ配信システムであって、
前記データ送信装置は、撮像画像内の部分画像に係るパケットのペイロード部の情報から前記部分画像の前記撮像画像内の位置を特定し、前記特定した位置に関する位置情報を前記パケットのヘッダ部に含ませることにより拡張パケットを生成するとともに、前記拡張パケットを前記配信制御装置に送信し、
前記画像解析装置は、前記撮像画像を画像解析することにより、前記撮像画像に関心対象が写っている位置を示す関心位置情報を生成するとともに、前記関心位置情報を前記配信制御装置に送信し、
前記配信制御装置は、
前記データ送信装置から送信された拡張パケットを受信する拡張パケット受信部と、
前記画像解析装置から送信された関心位置情報を受信する関心位置情報受信部と、
前記受信した拡張パケットの内、ヘッダ部に含まれる前記位置情報に係る位置が、前記受信した関心位置情報に係る位置に対応する拡張パケットを特定する特定部と、
前記特定した拡張パケットに基づくパケットを端末装置に配信するパケット配信部と、
を有することを特徴とするデータ配信システム。
【請求項２】
前記関心位置情報は、当該関心位置情報が示す位置に写っている関心対象を更に示し、
前記配信制御装置は、複数の前記端末装置の識別情報のそれぞれと、複数の前記関心対象の内の何れかの関心対象を示す関心対象情報とを対応付けて記憶する記憶部を更に有し、
前記特定部は、前記記憶されている関心対象情報に係る関心対象が、前記受信した関心位置情報に係る関心対象に対応する端末装置を特定し、
前記パケット配信部は、前記特定した拡張パケットに基づくパケットを前記特定した端末装置に配信する、請求項１に記載のデータ配信システム。
【請求項３】
前記パケットの前記ペイロード部には、前記部分画像の前記位置が記載されており、
前記データ送信装置は、前記パケットの前記ペイロード部に記載された前記位置を読み出すことにより、前記部分画像の前記撮像画像内の位置を特定する、請求項１または２に記載のデータ配信システム。
【請求項４】
前記データ送信装置は、複数の前記パケットから前記撮像画像を復元し、前記復元した撮像画像に基づいて、前記部分画像の前記撮像画像内の位置を特定する、請求項１または２に記載のデータ配信システム。
【請求項５】
前記データ送信装置は、前記拡張パケットにおいて、前記端末装置が復号可能な暗号化方式によって前記ペイロード部を暗号化する、請求項１〜請求項４の何れか一項に記載のデータ配信システム。
【請求項６】
前記撮像画像は、警備装置により警備される監視対象に係る画像であり、
前記配信制御装置は、前記警備装置が前記監視対象を警備中であるか否かを示す警備状態情報を記憶する記憶部を更に有し、
前記パケット配信部は、前記警備装置が前記監視対象を警備中である場合に限り、前記特定した拡張パケットに基づくパケットを配信する、請求項１〜請求項４の何れか一項に記載のデータ配信システム。
【請求項７】
データ送信装置と、画像解析装置と、配信制御装置とを有するデータ配信システムにおけるデータ配信方法であって、
前記データ送信装置が、撮像画像内の部分画像に係るパケットのペイロード部の情報から前記部分画像の前記撮像画像内の位置を特定し、前記特定した位置に関する位置情報を前記パケットのヘッダ部に含ませることにより拡張パケットを生成するとともに、前記拡張パケットを前記配信制御装置に送信し、
前記画像解析装置が、前記撮像画像を画像解析することにより、前記撮像画像に関心対象が写っている位置を示す関心位置情報を生成するとともに、前記関心位置情報を前記配信制御装置に送信し、
前記配信制御装置が、
前記データ送信装置から送信された拡張パケットを受信し、
前記画像解析装置から送信された関心位置情報を受信し、
前記受信した拡張パケットの内、ヘッダ部に含まれる前記位置情報に係る位置が、前記受信した関心位置情報に係る位置に対応する拡張パケットを特定し、
前記特定した拡張パケットに基づくパケットを端末装置に配信する、
ことを含むことを特徴とするデータ配信方法。
【発明の詳細な説明】
【技術分野】
【０００１】
本発明は、データを端末装置に配信するデータ配信システム及びデータ配信方法に関する。
【背景技術】
【０００２】
送信装置から画像データを端末装置に配信するデータ配信システムが利用されている。例えば、特許文献１の画像監視システムでは、カメラで撮影した画像データをカメラから端末装置（監視端末）に直接送信したり、画像データをレコーダやサーバに送信して記憶させておき当該サーバ等を介して端末装置に送信したりすることにより、端末装置において画像データを表示させる。
【先行技術文献】
【特許文献】
【０００３】
【特許文献１】特開２０１２−２０９７２７号公報
【発明の概要】
【発明が解決しようとする課題】
【０００４】
ところで近年では、端末装置において受信した画像データを表示するだけでなく、人物認証したり不審者や不審物を検知したりといった様々な画像処理が広く行われている。そして、画像処理の目的によっては、必ずしも撮像画像の全領域の画像データを必要とせず、特定の画像領域を受信できればよい場合がある。例えば、端末装置において顔認証の画像処理を行う場合は、顔領域の画像データさえ受信できればよい場合がある。また、端末装置で不審者検知の画像処理を行う場合は、人物領域の画像データさえ受信できればよい場合がある。しかし、従来技術は、端末装置の画像処理の目的に関わらず全領域の画像データを送信するため、カメラの台数や配信先の端末装置の台数が多くなるほど、カメラ側における通信量が増大し、カメラ側の通信回線が逼迫するといった問題が生じる。
【０００５】
複数の端末装置に画像データを送信する場合におけるカメラ側の通信量を削減するために、カメラからの画像データを一旦データセンタなどに設置されているサーバに送信して記憶させ、当該サーバから各端末装置へ画像データを配信することもできる。しかしながら、この場合においても、サーバから全領域の画像データが送信されるため、サーバ側（データセンタ側）における通信量が増大して通信回線が逼迫するといった他の問題が生じる。
【０００６】
本発明の目的は、配信先の端末装置が必要とする画像領域の画像データを含むパケットのみを配信することにより、通信量を抑えることができるデータ配信システム及びデータ配信方法を提供することにある。
【課題を解決するための手段】
【０００７】
かかる課題を解決するため本発明は、データ送信装置と、画像解析装置と、配信制御装置とを有するデータ配信システムを提供する。係るデータ配信システムにおいて、データ送信装置は、撮像画像内の部分画像に係るパケットのペイロード部の情報から部分画像の撮像画像内の位置を特定し、特定した位置に関する位置情報をパケットのヘッダ部に含ませることにより拡張パケットを生成するとともに、拡張パケットを配信制御装置に送信し、画像解析装置は、撮像画像を画像解析することにより、撮像画像に関心対象が写っている位置を示す関心位置情報を生成するとともに、関心位置情報を配信制御装置に送信し、配信制御装置は、データ送信装置から送信された拡張パケットを受信する拡張パケット受信部と、画像解析装置から送信された関心位置情報を受信する関心位置情報受信部と、受信した拡張パケットの内、ヘッダ部に含まれる位置情報に係る位置が、受信した関心位置情報に係る位置に対応する拡張パケットを特定する特定部と、特定した拡張パケットに基づくパケットを端末装置に配信するパケット配信部と、を有する。
【０００８】
また、本発明に係るデータ配信システムにおいて、関心位置情報は、当該関心位置情報が示す位置に写っている関心対象を更に示し、配信制御装置は、複数の端末装置の識別情報のそれぞれと、複数の関心対象の内の何れかの関心対象とを対応付けた関心対象情報を記憶する記憶部を更に有し、特定部は、記憶されている関心対象情報に係る関心対象が、受信した関心位置情報に係る関心対象に対応する端末装置を特定し、パケット配信部は、特定した拡張パケットに基づくパケットを特定した端末装置に配信することが好ましい。
【０００９】
また、本発明に係るデータ配信システムにおいて、パケットのペイロード部には、部分画像の位置が記載されており、データ送信装置は、パケットのペイロード部に記載された位置を読み出すことにより、部分画像の撮像画像内の位置を特定することが好ましい。
【００１０】
また、本発明に係るデータ配信システムにおいて、データ送信装置は、複数のパケットから撮像画像を復元し、復元した撮像画像に基づいて、部分画像の撮像画像内の位置を特定することが好ましい。
【００１１】
また、本発明に係るデータ配信システムにおいて、データ送信装置は、拡張パケットにおいて、端末装置が復号可能な暗号化方式によってペイロード部を暗号化することが好ましい。
【００１２】
また、本発明に係るデータ配信システムにおいて、データは、警備装置により警備される監視対象に係るデータであり、配信制御装置は、警備装置が監視対象を警備中であるか否かを示す警備状態情報を記憶する記憶部を更に有し、パケット配信部は、警備装置が監視対象を警備中である場合に限り、特定した拡張パケットに基づくパケットを配信することが好ましい。
【００１３】
また、かかる課題を解決するため本発明は、データ送信装置と、画像解析装置と、配信制御装置とを有するデータ配信システムにおけるデータ配信方法を提供する。係るデータ配信方法は、データ送信装置が、撮像画像内の部分画像に係るパケットのペイロード部の情報から部分画像の撮像画像内の位置を特定し、特定した位置に関する位置情報をパケットのヘッダ部に含ませることにより拡張パケットを生成するとともに、拡張パケットを配信制御装置に送信し、画像解析装置が、撮像画像を画像解析することにより、撮像画像に関心対象が写っている位置を示す関心位置情報を生成するとともに、関心位置情報を配信制御装置に送信し、配信制御装置が、データ送信装置から送信された拡張パケットを受信し、画像解析装置から送信された関心位置情報を受信し、受信した拡張パケットの内、ヘッダ部に含まれる位置情報に係る位置が、受信した関心位置情報に係る位置に対応する拡張パケットを特定し、特定した拡張パケットに基づくパケットを端末装置に配信することを含む。
【発明の効果】
【００１４】
本発明に係るデータ配信システム及びデータ配信方法は、通信量を抑えることが可能となる。
【図面の簡単な説明】
【００１５】
【図１】本実施形態によるデータ配信システム１の概略構成図である。
【図２】データ送信装置３０の概略構成を示す図である。
【図３】配信制御装置４０の概略構成を示す図である。
【図４】画像解析装置６０の概略構成を示す図である。
【図５】本実施形態に係るデータ配信システム１の全体動作シーケンス図である。
【図６】（ａ）〜（ｃ）は画像パケットのデータ構造の一例を示す模式図であり、（ｄ）は画像列形式情報のデータ構造の一例を示す模式図であり、（ｅ）は画像形式情報のデータ構造の一例を示す模式図である。
【図７】拡張パケット生成処理の動作の例を示すフローチャートである。
【図８】（ａ）は拡張パケット生成用情報３３１のデータ構造の一例を示す模式図であり、（ｂ）〜（ｄ）は拡張パケットのデータ構造の一例を示す模式図であり、（ｅ）は部分画像領域情報のデータ構造の一例を示す模式図である。
【図９】画像解析処理の動作の例を示すフローチャートである。
【図１０】関心領域パケットのデータ構造の一例を示す模式図である。
【図１１】（ａ）は配信先要求情報４２１のデータ構造の一例を示す模式図であり、（ｂ）は配信先情報４２２のデータ構造の一例を示す模式図であり、（ｃ）〜（ｅ）は配信用パケットのデータ構造の一例を示す模式図である。
【図１２】端末装置特定処理の動作の例を示すフローチャートである。
【発明を実施するための形態】
【００１６】
以下、本発明のデータ配信システムについて図を参照しつつ説明する。
【００１７】
図１は、本実施形態によるデータ配信システム１の概略構成を示す図である。図１に示すように、データ配信システム１は、画像送信装置１０、警備装置２０、データ送信装置３０、配信制御装置４０、複数の端末装置５０、及び、画像解析装置６０等を有する。画像送信装置１０及び警備装置２０は、警備エリア２に配置される。画像送信装置１０及びデータ送信装置３０は、それぞれネットワーク３に通信接続され、ネットワーク３を介して通信する。ネットワーク３は、例えばインターネット等の有線ネットワークである。なお、ネットワーク３は、無線ＬＡＮ（Local Area Network）、ＷｉＭＡＸ（Worldwide Interoperability for Microwave Access）又はＰＨＳ（Personal Handy-phone System）等の無線ネットワークでもよい。
配信制御装置４０は、通信事業者網４の網内装置である。警備装置２０、データ送信装置３０、配信制御装置４０、複数の端末装置５０、及び、画像解析装置６０は、それぞれ通信事業者網４に通信接続され、通信事業者網４内に配置された配信制御装置４０と通信する。通信事業者網４は、Ｗ−ＣＤＭＡ（Wideband Code Division Multiple Access）、ＣＤＭＡ２０００又はＬＴＥ（Long Term Evolution）等の通信方式に従ったネットワークである。なお、通信事業者網４は、イントラネット等の有線ネットワークでもよい。
【００１８】
画像送信装置１０は、例えばネットワークカメラ等に搭載され、ネットワークカメラが撮像した撮像画像をパケット化する。例えば、各画像送信装置１０は、ネットワークカメラが警備エリア２内の画像を撮像するように、警備エリア２内に配置され、警備エリア２内の侵入人物、不審物体等の監視対象を撮像した撮像画像を取得する。画像送信装置１０は、取得した撮像画像を、Ｈ．２６４／ＭＰＥＧ（Moving Picture Experts Group）−４  ＡＶＣ（Advanced Video Coding）規格等の所定の符号化規格に従って、所定の解像度、画質、フレームレート等の属性を有する画像データに符号化し、符号化した画像データに係る画像パケットを生成する。なお、画像送信装置１０は、撮像画像を所定単位毎に複数の部分画像に分割し、部分画像毎に符号化して画像パケットを生成する。例えば、Ｈ.２６４／ＭＰＥＧ−４ ＡＶＣ規格では、所定単位は、スライス（slice）である。画像送信装置１０は、通信部を有し、生成した画像パケットを通信部を介してデータ送信装置３０に送信する。
なお、データ配信システム１は、複数の画像送信装置１０を有し、各画像送信装置１０が画像パケットをデータ送信装置３０に送信してもよい。
【００１９】
警備装置２０は、家屋、マンションの住戸等の警備エリア２内に設置され、警備エリア２内に侵入する侵入人物、警備エリア２内に存在する不審物体等の監視対象を監視し、警備する。警備装置２０には、警備エリア２内の異常を検出するための１つ以上のセンサが接続される。センサは、例えば、受光した赤外線の光量変化に基づいて探知範囲内における監視対象の有無を検知する赤外線センサ、撮像画像と予め記憶された正常時の画像との差分信号に基づいて撮像範囲内における監視対象の有無を検知する画像センサ等である。警備装置２０には「警備」又は「非警備」が設定される。警備装置２０は、「警備」が設定されている間、警備エリア２内に監視対象が存在するか否かを監視し、警備エリア２内において監視対象を検知すると、配信制御装置４０を介して端末装置５０へ、監視対象が検知されたことを示す異常通報を行う。
【００２０】
端末装置５０は、画像送信装置１０が送信した撮像画像を長期保存する長期保管用のデータセンタに配置されるサーバ、画像送信装置１０が送信した撮像画像を管制員により監視するための、監視管制センタに配置されるパーソナルコンピュータ、又は、撮像画像に写っている人物の顔等に基づいて人物を認証する認証装置等である。各端末装置５０は、通信部及び表示部を有し、通信部を介して配信制御装置４０から、画像送信装置１０により送信された画像パケットに基づくパケットを受信し、受信したパケットから撮像画像を復元して表示部に表示する。
【００２１】
図２は、データ送信装置３０の概略構成を示す図である。データ送信装置３０は、画像送信装置１０から画像パケットを受信し、受信した画像パケットから拡張パケットを生成して配信制御装置４０に送信する。データ送信装置３０は、例えば、所定のアプリケーションプログラムに従ってデータ処理を実行可能なセットトップボックス等に搭載される。なお、データ送信装置３０と画像送信装置１０は、一つの装置として実装されてもよい。図２に示すように、データ送信装置３０は、第１通信部３１、第２通信部３２、記憶部３３及び制御部３４等を有する。
【００２２】
第１通信部３１は、データ送信装置３０がネットワーク３と、ＴＣＰ／ＩＰ等の通信方式に従った通信を行うための通信インタフェース回路を有する。第１通信部３１は、ネットワーク３を介して画像送信装置１０から受信したデータを制御部３４に送る。また、第１通信部３１は、制御部３４から受け取ったデータをネットワーク３を介して画像送信装置１０に送信する。
【００２３】
第２通信部３２は、データ送信装置３０が通信事業者網４と、Ｗ−ＣＤＭＡ、ＣＤＭＡ２０００又はＬＴＥ等の通信方式に従った携帯電話の無線通信を行うための通信インタフェース回路を有する。第２通信部３２は、通信事業者網４を介して配信制御装置４０から受信したデータを制御部３４に送る。また、第２通信部３２は、制御部３４から受け取ったデータを通信事業者網４を介して配信制御装置４０に送信する。
【００２４】
記憶部３３は、ＲＯＭ（Read Only Memory）、ＲＡＭ（Random Access Memory）等の半導体メモリ、又は、磁気記録媒体及びそのアクセス装置もしくは光記録媒体及びそのアクセス装置等を有する。記憶部３３は、データ送信装置３０を制御するためのコンピュータプログラム及び各種データを記憶し、制御部３４との間でこれらの情報を入出力する。コンピュータプログラムは、ＣＤ−ＲＯＭ（compact disk read only memory）、ＤＶＤ−ＲＯＭ（digital versatile disk read only memory）等のコンピュータ読み取り可能な可搬型記録媒体から公知のセットアッププログラム等を用いて記憶部３３にインストールされてもよい。また、記憶部３３には、拡張パケット生成用情報３３１等が記憶される。拡張パケット生成用情報３３１の詳細については後述する。
【００２５】
制御部３４は、ＣＰＵ（Central Processing Unit）、ＭＰＵ（Micro Processing Unit）、周辺回路等を有する。制御部３４は、拡張パケット生成部３４１及び拡張パケット送信部３４２等を有する。
拡張パケット生成部３４１は、第１通信部３１を介して画像送信装置１０から受信した、撮像画像内の部分画像に係る画像パケットのペイロード部の情報から、その部分画像の撮像画像内の位置を特定する。拡張パケット生成部３４１は、特定した位置に関する位置情報である部分画像位置情報を、その画像パケットのヘッダ部に含ませることにより拡張パケットを生成する。
拡張パケット送信部３４２は、拡張パケット生成部３４１が生成した拡張パケットを第２通信部３２を介して配信制御装置４０に送信する。
【００２６】
図３は、配信制御装置４０の概略構成を示す図である。配信制御装置４０は、データ送信装置３０から拡張パケットを受信し、受信した拡張パケットに基づいて配信用パケットを生成する。また、配信制御装置４０は、画像解析装置６０から、撮像画像において、各端末装置５０のユーザが関心を持ち、閲覧を要求する関心対象が写っている位置と、その位置に写っている関心対象とを示す関心位置情報を含む関心領域パケットを受信する。関心対象は、例えば人物又は物体の一部（人物の顔等）又は全部である。なお、関心対象は、警備エリア２へ侵入する侵入人物、不審物体等、特定の人物又は物体の一部又は全部でもよい。配信制御装置４０は、受信した関心領域パケットに含まれる関心位置情報に基づいて、配信用パケットを送信すべき端末装置５０を特定し、特定した端末装置５０に配信用パケットを送信する。配信制御装置４０は、例えば、所定のアプリケーションプログラムに従ってデータ処理を実行可能なルータ等に搭載される。図３に示すように、配信制御装置４０は、通信部４１、記憶部４２及び制御部４３等を有する。
【００２７】
通信部４１は、配信制御装置４０が通信事業者網４を介して警備装置２０、データ送信装置３０、端末装置５０及び画像解析装置６０と通信を行うための通信インタフェース回路を有する。通信部４１は、警備装置２０、データ送信装置３０、端末装置５０又は画像解析装置６０から受信したデータを制御部４３に送る。また、通信部４１は、制御部４３から受け取ったデータを警備装置２０、データ送信装置３０、端末装置５０又は画像解析装置６０に送信する。
【００２８】
記憶部４２は、ＲＯＭ、ＲＡＭ等の半導体メモリ、又は、磁気記録媒体及びそのアクセス装置もしくは光記録媒体及びそのアクセス装置等を有する。記憶部４２は、配信制御装置４０を制御するためのコンピュータプログラム及び各種データを記憶し、制御部４３との間でこれらの情報を入出力する。コンピュータプログラムは、ＣＤ−ＲＯＭ、ＤＶＤ−ＲＯＭ等のコンピュータ読み取り可能な可搬型記録媒体から公知のセットアッププログラム等を用いて記憶部４２にインストールされてもよい。
また、記憶部４２には、配信先要求情報４２１及び配信先情報４２２等が記憶される。配信先要求情報４２１には、各端末装置５０の識別情報と、複数の関心対象の内、各端末装置５０の利用者が閲覧を要求する関心対象を示す要求対象情報とが対応付けて記憶される。各端末装置５０の識別情報は、例えば各端末装置５０のＩＰアドレス及びポート番号等（以下、配信先端末アドレスと称する場合がある）である。要求対象情報は、関心対象情報の一例である。配信先情報４２２には、拡張パケットを配信すべき端末装置５０の配信先端末アドレス等が記憶される。配信先要求情報４２１及び配信先情報４２２の詳細については後述する。
【００２９】
制御部４３は、ＣＰＵ、ＭＰＵ、周辺回路等を有する。制御部４３は、拡張パケット受信部４３１、関心位置情報受信部４３２、配信先情報更新部４３３、特定部４３４、配信用パケット生成部４３５及びパケット配信部４３６等を有する。
拡張パケット受信部４３１は、データ送信装置３０から送信された拡張パケットを通信部４１を介して受信する。
関心位置情報受信部４３２は、画像解析装置６０から送信された関心位置情報を含む関心領域パケットを通信部４１を介して受信する。
配信先情報更新部４３３は、配信先要求情報４２１と、画像解析装置６０から送信された関心領域パケットに含まれる関心位置情報とに基づいて配信先情報４２２を更新する。
特定部４３４は、拡張パケット受信部４３１が受信した拡張パケットの内、ヘッダ部に含まれる部分画像位置情報に係る位置が、関心位置情報受信部４３２が受信した関心位置情報に係る位置に対応する拡張パケットを特定する。さらに、特定部４３４は、配信先要求情報４２１に記憶されている要求対象情報に係る関心対象が、関心位置情報受信部４３２が受信した関心位置情報に係る関心対象に対応する端末装置５０を特定する。
配信用パケット生成部４３５は、拡張パケット受信部４３１が受信した拡張パケットに基づいて配信用パケットを生成する。
パケット配信部４３６は、配信用パケット生成部４３５が生成した配信用パケットの内、特定部４３４が特定した拡張パケットに基づく配信用パケットを、通信部４１を介して、特定部４３４が特定した各端末装置５０に配信する。
【００３０】
図４は、画像解析装置６０の概略構成を示す図である。画像解析装置６０は、撮像画像を画像解析することにより、撮像画像に関心対象が写っている位置を検出し、検出した位置と、その位置に写っている関心対象とを示す関心位置情報を生成し、生成した関心位置情報を含む関心領域パケットを配信制御装置４０に送信する。なお、配信制御装置４０と画像解析装置６０は、一つの装置として実装されてもよい。図４に示すように、画像解析装置６０は、通信部６１、記憶部６２及び制御部６３等を有する。
【００３１】
通信部６１は、画像解析装置６０が通信事業者網４と、Ｗ−ＣＤＭＡ、ＣＤＭＡ２０００又はＬＴＥ等の通信方式に従った携帯電話の無線通信を行うための通信インタフェース回路を有する。通信部６１は、通信事業者網４を介して配信制御装置４０から受信したデータを制御部６３に送る。また、通信部６１は、制御部６３から受け取ったデータを通信事業者網４を介して配信制御装置４０に送信する。
【００３２】
記憶部６２は、ＲＯＭ、ＲＡＭ等の半導体メモリ、又は、磁気記録媒体及びそのアクセス装置もしくは光記録媒体及びそのアクセス装置等を有する。記憶部６２は、画像解析装置６０を制御するためのコンピュータプログラム及び各種データを記憶し、制御部６３との間でこれらの情報を入出力する。コンピュータプログラムは、ＣＤ−ＲＯＭ、ＤＶＤ−ＲＯＭ等のコンピュータ読み取り可能な可搬型記録媒体から公知のセットアッププログラム等を用いて記憶部６２にインストールされてもよい。
【００３３】
制御部６３は、ＣＰＵ、ＭＰＵ、周辺回路等を有する。制御部６３は、関心位置情報生成部６３１及び関心位置情報送信部６３２等を有する。
関心位置情報生成部６３１は、配信制御装置４０から拡張パケットを受信し、受信した拡張パケットから撮像画像を復元する。関心位置情報生成部６３１は、復元した撮像画像から、公知の画像処理技術を用いて、関心対象を検知し、撮像画像に関心対象が写っている位置を特定する。そして、関心位置情報生成部６３１は、特定した位置（範囲を示す座標）と、その位置に写っている関心対象の識別子とを示す関心位置情報を生成し、関心位置情報を含む関心領域パケットを生成する。
関心位置情報送信部６３２は、関心位置情報生成部６３１が生成した関心位置情報を含む関心領域パケットを、通信部６１を介して、配信制御装置４０に送信する。
【００３４】
図５は、本実施形態に係るデータ配信システム１の全体動作シーケンス図である。以下に説明する動作シーケンスは、データ配信システム１が有する各装置の記憶部に予め記憶されているプログラムに基づいて、主に各装置の制御部により、各装置の各要素と協働して実行される。
まず、各画像送信装置１０は、ネットワークカメラが撮像した撮像画像を取得し、取得した撮像画像内の部分画像を符号化し、符号化した部分画像に係る画像パケットを生成する（ステップＳ１０１）。
【００３５】
図６（ａ）〜（ｃ）は、画像パケットのデータ構造の一例を示す模式図である。図６（ａ）〜（ｃ）に示すように、画像パケットはヘッダ部及びペイロード部を有する。
ヘッダ部は、画像送信装置ＩＤ及びデータ送信装置アドレス等を有する。画像送信装置ＩＤは、画像送信装置１０を一意に識別可能なユニークな値である。データ送信装置アドレスは、データ送信装置３０のアドレスであり、例えばデータ送信装置３０のＩＰアドレス及びポート番号等である。画像パケットの構成はペイロード部の構成によって３種類に分類される。
【００３６】
図６（ａ）は、時系列で連続する画像列について、解像度、画質又はフレームレート等の共通の形式情報を示す画像列形式情報がペイロード部に含まれる画像パケットの例である。
図６（ｄ）は、画像列形式情報のデータ構造の一例を示す模式図である。図６（ｄ）に示すように、画像列形式情報は、画像の解像度を示す解像度情報、画像の符号化品質（量子化パラメータ等）を示す画質情報、又は、１秒間に含まれる画像の枚数（フレーム数）を示すフレームレート情報等を有する。
画像列形式情報は、時系列で連続する画像列（複数フレームの画像）について、復号し表示するために必要な共通の形式情報である。例えば、Ｈ.２６４／ＭＰＥＧ−４ ＡＶＣ規格では、画像列形式情報として、SPS（Sequence Parameter Set）、PPS（Picture Parameter Set）等が設定される。
なお、解像度情報として、SPSのframe_mbs_only_flag、pic_width_in_mbs_minus1、pic_height_in_map_units_minus1等が設定される。frame_mbs_only_flagは、ピクチャにフレーム・マクロブロックしか含まれない場合、即ちインターレースでない場合に1となり、そうでない場合に0となる。pic_width_in_mbs_minus1は（ピクチャの水平方向のマクロブロックの数−1）であり、pic_height_in_map_units_minus1は（ピクチャの垂直方向のマクロブロックの数−1）である。マクロブロックの水平及び垂直方向の画素数が16である場合、水平方向の画素数及び垂直方向の画素数は、以下の式により算出される。
水平方向の画素数＝(pic_width_in_mbs_minus1＋1)×16
垂直方向の画素数＝(2−frame_mbs_only_flag)×(pic_height_in_map_units_minus1＋1)×16
画像列形式情報には、上記した情報以外の情報が含まれていてもよい。
【００３７】
図６（ｂ）は、画像データの一部である所定単位の部分画像データについて、符号化のタイプ等の形式情報を示す画像形式情報と、その部分画像データの一部とがペイロード部に含まれる画像パケットの例である。
図６（ｅ）は、画像形式情報のデータ構造の一例を示す模式図である。図６（ｅ）に示すように、画像形式情報は、フレーム番号、先頭マクロブロック番号等を有する。フレーム番号は、そのフレームの番号であり、先頭マクロブロック番号は、そのフレームに含まれる先頭のマクロブロックの番号である。画像形式情報は、符号化された画像の形式等のように、所定単位の画像データを復号し表示するために必要な形式情報である。例えば、Ｈ.２６４／ＭＰＥＧ−４ ＡＶＣ規格では、画像形式情報として、スライス・ヘッダ（slice header）等が設定される。また、フレーム番号として、スライス・ヘッダ（slice header）のframe_num等が設定され、先頭マクロブロック番号として、スライス・ヘッダのfirst_mb_in_slice等が設定される。また、画像形式情報には、上記した情報以外の情報が含まれていてもよい。
所定単位の部分画像データが１つのパケットのサイズを超える場合、部分画像データは、さらに複数の画像データに分割されて複数のパケットに格納される。画像形式情報は、部分画像データの先頭に格納される。
【００３８】
図６（ｃ）は、部分画像データの一部のみがペイロード部に含まれる画像パケットの例である。
【００３９】
次に、図５のステップＳ１０２において、画像送信装置１０は、生成した画像パケットを通信部を介してデータ送信装置３０に送信する（ステップＳ１０２）。次に、データ送信装置３０の拡張パケット生成部３４１は、第１通信部３１を介して各画像送信装置１０から画像パケットを受信する（ステップＳ１０３）。次に、拡張パケット生成部３４１は、受信した各画像パケットについて、拡張パケット生成処理を実行する（ステップＳ１０４）。
【００４０】
図７は、拡張パケット生成処理の動作の例を示すフローチャートである。なお、図７に示す拡張パケット生成処理は、画像パケットを受信する度に実行される。また、拡張パケット生成部３４１は、各画像送信装置１０から受信する画像パケットについて、画像列形式情報を含む画像パケットを最初に受信するまでは拡張パケット生成処理を実行しない。即ち、図７に示す拡張パケット生成処理は、画像列形式情報を含む画像パケットから実行されるものとする。
【００４１】
まず、拡張パケット生成部３４１は、受信した画像パケットに画像列形式情報が含まれるか否かを判定する（ステップＳ２０１）。受信した画像パケットに画像列形式情報が含まれる場合（ステップＳ２０１のＹｅｓ）、拡張パケット生成部３４１は、画像列形式情報に基づいて、拡張パケット生成用情報３３１を記憶（初期化）する（ステップＳ２０２）。
【００４２】
図８（ａ）は、拡張パケット生成用情報３３１のデータ構造の一例を示す模式図である。図８（ａ）に示すように、拡張パケット生成用情報３３１として、各画像送信装置１０から受信する、時系列で連続する画像列毎に、画像送信装置ＩＤ、画像列形式情報、画像形式情報、フレームＩＤ及び部分画像位置情報等の各情報が対応付けて記憶される。
【００４３】
画像送信装置ＩＤは、画像パケットに含まれる画像送信装置ＩＤである。
画像列形式情報は、画像パケットに含まれる画像列形式情報である。
画像形式情報は、画像パケットに含まれる画像形式情報である。
フレームＩＤは、各フレームを一意に識別可能な、フレーム毎にユニークな値である。フレームＩＤとして、例えばフレーム毎に１つずつ増加する値が割り当てられる。または、フレームＩＤとして、対応する画像が撮像された時刻等が割り当てられてもよい。
【００４４】
部分画像位置情報は、画像パケットのペイロード部に含まれる部分画像データに係る部分画像の撮像画像内の位置（座標）を示す位置情報である。例えば、部分画像が矩形領域である場合、部分画像位置情報として、部分画像の左上頂点のＸ座標及びＹ座標と、右下頂点のＸ座標及びＹ座標が設定される。また、部分画像が、Ｈ.２６４／ＭＰＥＧ−４  ＡＶＣ規格の複数のマクロブロック（固定サイズの矩形の画素集合）に対応する場合、部分画像位置情報として、マクロブロック毎に上記の座標が設定される。
部分画像位置情報は、例えば、画像パケットの画像形式情報における先頭マクロブロック番号（first_mb_in_slice）を用いて算出される。拡張パケット生成部３４１は、受信した画像パケットの画像形式情報における先頭マクロブロック番号を記憶しておく。拡張パケット生成部３４１は、今回受信した１スライス分の画像パケットの画像形式情報における先頭マクロブロック番号から、前回受信した画像パケットの画像形式情報における先頭マクロブロック番号を減算した差分を部分画像データに含まれるマクロブロックの合計数（macroblock_count_in_slice）として算出する。なお、拡張パケット生成部３４１は、１スライス分の画像パケットを蓄積し、蓄積した画像パケットを走査して、１スライスに含まれるマクロブロックの合計数を計数してもよい。
拡張パケット生成部３４１は、マクロブロック番号がｉ｛i＝first_mb_in_slice, ... , first_mb_in_slice＋macroblock_count_in_slice−1｝である各マクロブロックの左上頂点のＸ座標left_top_x_i及びＹ座標left_top_y_iと、右下頂点のＸ座標right_bottom_x_i及びＹ座標right_bottom_y_iとを下記式により算出する。
left_top_x_i＝(i％(pic_width_in_mbs_minus1＋1))×16
left_top_y_i＝[(i÷(pic_width_in_mbs_minus1＋1))]×16
right_bottom_x_i＝left_top_x_i＋16
right_bottom_y_i＝left_top_y_i＋16
なお、上記式において、マクロブロックの水平及び垂直方向のサイズはそれぞれ16画素であるものとする。[％]は剰余を算出する算出記号である。pic_width_in_mbs_minus1は、画像列形式情報の解像度情報に含まれ、ピクチャの水平方向のマクロブロックの数−1を示す。
また、部分画像位置情報として、各マクロブロックの番号が設定されてもよい。
【００４５】
このように、画像パケットのペイロード部には、画像パケットに含まれる部分画像の撮像画像内における位置が記載されており、拡張パケット生成部３４１は、画像パケットのペイロード部に記載された、部分画像の撮像画像内の位置を読み出すことにより、部分画像の撮像画像内における位置を特定する。
なお、拡張パケット生成部３４１は、画像パケットのペイロード部を解析することにより、部分画像の撮像画像内における位置を特定してもよい。例えば、撮像画像に係る画像データが、水平方向の解像度に対する垂直方向の解像度が予め定められた比率になるようにＲＧＢ値による各画素が配置されたＲＡＷデータであり、各フレームの先頭にスタートデータが含まれ、各フレームの最後にストップデータが含まれる場合について説明する。拡張パケット生成部３４１は、複数の画像パケットからスタートデータ及びストップデータを検出し、スタートデータとストップデータの間の画素数から撮像画像の解像度を特定し、撮像画像を復元する。そして、拡張パケット生成部３４１は、復元した撮像画像において、ペイロード部に含まれる各部分画像が対応する位置を特定する。
これにより、拡張パケット生成部３４１は、部分画像の撮像画像内の位置がペイロード部に記載されていない画像パケットについても、画像パケットに含まれる部分画像の撮像画像内の位置を特定することができる。
【００４６】
ステップＳ２０２により、拡張パケット生成部３４１は、受信した画像パケットに画像列形式情報が含まれる場合、画像パケットに含まれる画像送信装置ＩＤ及び画像列形式情報を拡張パケット生成用情報３３１に設定することで、初期化する。
【００４７】
次に、図７のステップＳ２０３において、拡張パケット生成部３４１は、拡張パケット生成用情報３３１に基づいて、拡張パケットを生成し（ステップＳ２０３）、一連のステップを終了する。
【００４８】
図８（ｂ）〜（ｄ）は、拡張パケットのデータ構造の一例を示す模式図である。図８（ｂ）〜（ｄ）に示すように、拡張パケットは画像パケットと同様のヘッダ部及びペイロード部を有する。
但し、ヘッダ部は、データ送信装置アドレスの代わりに配信制御装置アドレスを有し、さらに、部分画像領域情報を有する。配信制御装置アドレスは、配信制御装置４０のアドレスであり、例えば配信制御装置４０のＩＰアドレス及びポート番号等である。拡張パケットの構成も、画像パケットの構成と同様に、ペイロード部の構成によって３種類に分類される。
図８（ｅ）は、部分画像領域情報のデータ構造の一例を示す模式図である。図８（ｅ）に示すように、部分画像領域情報は、フレームＩＤ及び部分画像位置情報等の情報を有する。フレームＩＤ及び部分画像位置情報として、それぞれ拡張パケット生成用情報３３１に記憶されたフレームＩＤ及び部分画像位置情報が設定される。
【００４９】
拡張パケット生成部３４１は、画像列形式情報を含む画像パケット（図６（ａ））を受信した場合、画像列形式情報を含む拡張パケット（図８（ｂ））を生成する。また、拡張パケット生成部３４１は、画像形式情報を含む画像パケット（図６（ｂ））を受信した場合、画像形式情報を含む拡張パケット（図８（ｃ））を生成する。一方、拡張パケット生成部３４１は、画像列形式情報及び画像形式情報を含まない画像パケット（図６（ｃ））を受信した場合、画像列形式情報及び画像形式情報を含まない拡張パケット（図８（ｄ））を生成する。
【００５０】
なお、拡張パケット生成部３４１は、拡張パケットにおいて、端末装置５０又は画像解析装置６０が復号可能な暗号化方式によってペイロード部を暗号化してもよい。配信制御装置４０は、拡張パケットのペイロード部を参照できなくても、ヘッダ部のみに基づいて、配信先の端末装置５０を特定することができる。一方、拡張パケットのペイロード部を暗号化することにより、配信制御装置４０は、拡張パケットに含まれる画像データにアクセスできず、配信制御装置４０の管理者等は、拡張パケットに含まれる画像データの内容を閲覧できなくなるため、セキュリティ性の向上及びプライバシーの保護を図ることが可能となる。
【００５１】
図７のステップＳ２０１において、受信した画像パケットに画像列形式情報が含まれない場合（ステップＳ２０１のＮｏ）、拡張パケット生成部３４１は、受信した画像パケットに画像形式情報が含まれるか否かを判定する（ステップＳ２０４）。受信した画像パケットに画像形式情報が含まれる場合（ステップＳ２０４のＹｅｓ）、拡張パケット生成部３４１は、画像形式情報に基づいて、拡張パケット生成用情報３３１を更新する（ステップＳ２０５）。
【００５２】
ステップＳ２０５において、拡張パケット生成部３４１は、受信した画像パケットがフレームの先頭に対応する画像パケットであるか否かを判定し、フレームの先頭に対応する画像パケットである場合、拡張パケット生成用情報３３１のフレーム番号をインクリメント（１増加）する。拡張パケット生成部３４１は、画像形式情報に含まれるフレームタイプからフレーム番号を特定し、特定したフレーム番号が、前回受信した画像形式情報に含まれていたフレーム番号と異なるか否かにより、受信した画像パケットがフレームの先頭に対応する画像パケットであるか否かを判定する。
また、拡張パケット生成部３４１は、画像パケットに含まれる画像形式情報を拡張パケット生成用情報３３１に設定する。また、拡張パケット生成部３４１は、画像形式情報に含まれる先頭マクロブロック番号から部分画像位置情報を算出し、拡張パケット生成用情報３３１に設定する。
【００５３】
次に、拡張パケット生成部３４１は、拡張パケット生成用情報３３１に基づいて、拡張パケットを生成し（ステップＳ２０３）、一連のステップを終了する。
【００５４】
ステップＳ２０４において、受信した画像パケットに画像形式情報が含まれない場合（ステップＳ２０４のＮｏ）、拡張パケット生成部３４１は、拡張パケット生成用情報３３１に基づいて、拡張パケットを生成し（ステップＳ２０３）、一連のステップを終了する。
【００５５】
次に、図５のステップＳ１０５において、拡張パケット送信部３４２は、拡張パケット生成部３４１が生成した拡張パケットを第２通信部３２を介して配信制御装置４０に送信する（ステップＳ１０５）。次に、配信制御装置４０の拡張パケット受信部４３１は、通信部４１を介してデータ送信装置３０から拡張パケットを受信する（ステップＳ１０６）。次に、拡張パケット受信部４３１は、受信した拡張パケットを通信部４１を介して画像解析装置６０に送信する（ステップＳ１０７）。次に、画像解析装置６０の関心位置情報生成部６３１は、通信部６１を介して配信制御装置４０から拡張パケットを受信する（ステップＳ１０８）。次に、関心位置情報生成部６３１は、受信した拡張パケットに基づいて、撮像画像の画像解析処理を実行する（ステップＳ１０９）。
【００５６】
図９は、画像解析処理の動作の例を示すフローチャートである。なお、関心位置情報生成部６３１は、受信した拡張パケットを、画像送信装置ＩＤとフレームＩＤが同一である拡張パケット毎に関連付けて記憶部６２に記憶し、１枚の画像として復号することができた時点で図９に示す画像解析処理を実行する。
【００５７】
まず、関心位置情報生成部６３１は、受信した拡張パケットのペイロード部を復号して撮像画像を復元する。関心位置情報生成部６３１は、復元した撮像画像から、公知の画像処理技術を用いて、侵入人物、不審物体等の関心対象を検知する（ステップＳ３０１）。
例えば、関心位置情報生成部６３１は、機械学習技術を用いて、関心対象を検知する。関心位置情報生成部６３１は、関心対象が写っている複数のサンプル画像と関心対象が写っていない複数のサンプル画像を用いて、関心対象が写っている画像に対して関心対象が写っていることを示す識別結果を出力し、関心対象が写っていない画像に対しては関心対象が写っていないことを示す識別結果を出力するように事前に識別器を学習させておく。関心位置情報生成部６３１は、復元した撮像画像内の所定の大きさの領域を、その位置をずらしながら切り出して識別器に入力し、その領域内に関心対象が写っているか否かを示す識別結果を得ることにより、関心対象を検知する。
または、関心位置情報生成部６３１は、パターンマッチング技術を用いて、関心対象を検知してもよい。関心位置情報生成部６３１は、関心対象が写っている複数の画像のパターンを予め記憶部６２に記憶しておく。関心位置情報生成部６３１は、復元した撮像画像内の所定の大きさの領域を、その位置をずらしながら切り出して、記憶部６２に記憶しておいた画像のパターンの類似の程度を求め、求めた類似の程度が閾値以上であるか否かにより、関心対象を検知する。類似の程度は、例えば正規化相互相関値とすることができる。
【００５８】
次に、関心位置情報生成部６３１は、撮像画像から関心対象を検知した場合、検知した関心対象毎に、関心位置情報を生成するとともに、関心位置情報を含む関心領域パケットを生成し（ステップＳ３０２）、一連のステップを終了する。
【００５９】
図１０は、関心領域パケットのデータ構造の一例を示す模式図である。図１０に示すように、関心領域パケットは、配信制御装置アドレス、画像送信装置ＩＤ、フレームＩＤ及び関心位置情報等を有する。
配信制御装置アドレス、画像送信装置ＩＤ及びフレームＩＤとして、関心対象が検知された拡張パケットに含まれる配信制御装置アドレス、画像送信装置ＩＤ及びフレームＩＤが設定される。
関心位置情報は、対応位置情報及び対応対象情報を有する。対応位置情報は、撮像画像に関心対象が写っている領域（特定の意味を有する領域）の位置（座標）を示す。対応対象情報は、対応位置情報が示す位置に写っている関心対象を示す識別子（ＩＤ）である。例えば、関心対象が画像全体である場合、対応対象情報として1が設定され、関心対象が人物の顔である場合、対応対象情報として2が設定され、関心対象が不審物体である場合、対応対象情報として3が設定される。
【００６０】
図５のステップＳ１１０において、関心位置情報送信部６３２は、関心位置情報生成部６３１が生成した関心位置情報を含む関心領域パケットを通信部６１を介して配信制御装置４０に送信する（ステップＳ１１０）。次に、配信制御装置４０の関心位置情報受信部４３２は、通信部４１を介して画像解析装置６０から、関心位置情報を含む関心領域パケットを受信する（ステップＳ１１１）。次に、配信先情報更新部４３３は、関心位置情報受信部４３２が受信した関心領域パケットに含まれる関心位置情報と、記憶部４２に記憶された配信先要求情報４２１とに基づいて、記憶部４２に記憶された配信先情報４２２を更新する（ステップＳ１１２）。
【００６１】
図１１（ａ）は、配信先要求情報４２１のデータ構造の一例を示す模式図である。図１１（ａ）に示すように、配信先要求情報４２１として、配信用パケットの配信先である端末装置５０に対応する項目毎に、画像送信装置ＩＤ、配信先端末アドレス及び要求対象情報等の各情報が対応付けて記憶される。配信先要求情報４２１は、不図示の入力装置を用いて、管理者により事前に設定される。または、配信先要求情報４２１は、各端末装置５０から受信する、各画像送信装置１０の利用者からの要求に従って設定されてもよい。
【００６２】
画像送信装置ＩＤは、その端末装置５０が受信すべき配信用パケットに対応する画像パケットを送信する画像送信装置１０の画像送信装置ＩＤである。
配信先端末アドレスは、配信用パケットの配信先の端末装置５０のアドレスであり、例えば端末装置５０のＩＰアドレス及びポート番号等である。
要求対象情報は、各端末装置５０のユーザが関心を持っており、写っている画像を各端末装置５０において受信し表示することが要求されている関心対象を示す識別子（ＩＤ）である。要求対象情報は、対応対象情報と同じ定義に従って設定される。
【００６３】
図１１（ｂ）は、配信先情報４２２のデータ構造の一例を示す模式図である。図１１（ｂ）に示すように、配信先情報４２２として、配信用パケットの配信先である端末装置５０に対応する項目毎に、画像送信装置ＩＤ、配信先端末アドレス、フレームＩＤ及び関心位置情報等の各情報が対応付けて記憶される。
【００６４】
画像送信装置ＩＤ、フレームＩＤ及び関心位置情報として、関心領域パケットに含まれる画像送信装置ＩＤ、フレームＩＤ及び関心位置情報が設定される。
配信先端末アドレスは、配信用パケットの配信先の端末装置５０のアドレスであり、例えば端末装置５０のＩＰアドレス及びポート番号等である。
【００６５】
ステップＳ１１２において、配信先情報更新部４３３は、まず、関心位置情報受信部４３２が受信した関心領域パケットから画像送信装置ＩＤ及び対応対象情報を抽出する。そして、抽出した画像送信装置ＩＤ及び対応対象情報の組合せに対応（一致）する画像送信装置ＩＤ及び要求対象情報の組合せとなる項目が、配信先要求情報４２１に記憶されているか否かを判定する。そして、対応する項目が記憶されている場合、配信先情報４２２に新たな項目を追加する。ここで、配信先情報４２２に新たに追加する項目の画像送信装置ＩＤ、フレームＩＤ及び関心位置情報は、それぞれ関心領域パケットに含まれる画像送信装置ＩＤ、フレームＩＤ及び関心位置情報である。また、配信先情報４２２に新たに追加する項目の配信先端末アドレスは、配信先要求情報４２１において、関心領域パケットから抽出した画像送信装置ＩＤ及び対応対象情報に対応する項目の配信先端末アドレスである。なお、関心領域パケットから抽出した画像送信装置ＩＤ及び対応対象情報の組合せと対応する画像送信装置ＩＤ及び要求対象情報の組合せとなる項目が、配信先要求情報４２１に記憶されていない場合、配信先情報更新部４３３は、当該対応対象情報が示す関心領域を必要とする端末装置４０が存在しないとみなして、配信先情報４２２を更新しない。
【００６６】
次に、図５のステップＳ１１３において、特定部４３４は、受信した拡張パケットに基づくパケットの配信先を特定するために、端末装置特定処理を実行する（ステップＳ１１３）。
【００６７】
図１２は、端末装置特定処理の動作の例を示すフローチャートである。なお、図１２に示す端末装置特定処理は、拡張パケットを受信する度に実行される。
【００６８】
まず、特定部４３４は、受信した拡張パケットに含まれる画像送信装置ＩＤが、記憶部４２に配信先情報４２２として記憶されている画像送信装置ＩＤの内の何れかに対応（一致）する項目が存在するか否かを判定する（ステップＳ４０１）。
拡張パケットに含まれる画像送信装置ＩＤが、配信先情報４２２として記憶されている項目において何れの画像送信装置ＩＤにも対応しない場合、特定部４３４は、対応する端末装置４０（配信用パケットの配信先となる端末装置４０）が存在しないとみなし（ステップＳ４０１のＮｏ）、特に処理を実行せずに一連のステップを終了する。この場合、受信した拡張パケットに基づく配信用パケットは、何れの端末装置５０にも配信されない。
一方、拡張パケットに含まれる画像送信装置ＩＤが、配信先情報４２２として記憶されている項目の画像送信装置ＩＤの内の何れかに対応する場合、特定部４３４は、対応する端末装置４０（配信用パケットの配信先となる端末装置４０）が存在するとみなし（ステップＳ４０１のＹｅｓ）、配信先情報４２２から、当該項目を抽出する。次に、特定部４３４は、受信した拡張パケットに含まれる部分画像領域情報におけるフレームＩＤ及び部分画像位置情報が、配信先情報４２２から抽出した各項目におけるフレームＩＤ及び対応位置情報に対応するか否かを判定する（ステップＳ４０２）。
ここで、特定部４３４は、各フレームＩＤが一致し、且つ、拡張パケットの部分画像位置情報で示される領域と、配信先情報４２２の対応位置情報で示される領域の少なくとも一部が重複する場合、各情報が対応すると判定する。なお、特定部４３４は、拡張パケットの部分画像位置情報で示される領域が、配信先情報４２２の対応位置情報で示される領域に含まれる場合、各情報が対応すると判定してもよい。また、配信先情報４２２の対応位置情報で示される領域が、拡張パケットの部分画像位置情報で示される領域に含まれる場合、各情報が対応すると判定してもよい。また、拡張パケットの部分画像位置情報で示される領域と、配信先情報４２２の対応位置情報で示される領域とが一致する場合に限り、各情報が対応すると判定してもよい。
このように、特定部４３４は、拡張パケット受信部４３１により受信した拡張パケットの内、拡張パケットのヘッダ部に含まれる部分画像位置情報が配信先情報４２２の対応位置情報（関心位置情報受信部４３２が受信した関心位置情報）に対応する拡張パケットを特定する。そして、特定した拡張パケットに基づいて、配信用パケットを生成する。
また、配信先情報４２２において各情報が対応すると判定された項目における配信先端末アドレスは、関心位置情報受信部４３２により受信した関心位置情報に係る関心対象に対応する端末装置５０のアドレスである。即ち、特定部４３４は、配信先情報４２２において各情報が対応する項目を特定することにより、配信先要求情報４２１に記憶されている要求対象情報に係る関心対象が、関心位置情報受信部４３２により受信した関心位置情報に係る関心対象に対応する端末装置５０を特定している。
【００６９】
各情報が対応しない場合（ステップＳ４０２のＮｏ）、特定部４３４は、特に処理を実行せずに一連のステップを終了する。この場合、拡張パケットに基づく配信用パケットは、何れの端末装置５０にも配信されない。
一方、各情報が対応する場合（ステップＳ４０２のＹｅｓ）、配信用パケット生成部４３５は、拡張パケットに基づいて、配信用パケットを生成し（ステップＳ４０３）、一連のステップを終了する。なお、ステップＳ４０３では、上記の特定した拡張パケットだけでなく、当該特定した拡張パケットと同じ画像送信装置ＩＤを持つ図８（ｂ）の拡張パケットについても配信用パケットが生成されるものとする。
【００７０】
図１１（ｃ）〜（ｅ）は、配信用パケットのデータ構造の一例を示す模式図である。図１１（ｃ）〜（ｅ）に示すように、配信用パケットは拡張パケットと同様のヘッダ部及びペイロード部を有する。
但し、ヘッダ部は、配信制御装置アドレスの代わりに配信先端末アドレスを有し、部分画像領域情報は、ヘッダ部から除去される。配信先端末アドレスは、配信先情報４２２における画像送信装置ＩＤ及びフレームＩＤが受信した拡張パケットの画像送信装置ＩＤ及びフレームＩＤと一致する項目であって、対応位置情報が受信した拡張パケットの部分画像位置情報に対応すると判定された項目における配信先端末アドレスである。画像送信装置ＩＤ及びフレームＩＤが一致し、対応位置情報に対応すると判定された項目が複数ある（配信先端末アドレスのみが異なる）場合、配信先端末アドレスが異なる複数の配信用パケットが生成される。このように、特定部４３４は、配信先情報４２２の対応対象情報と対応付けられた一又は複数の端末装置５０を特定することにより、配信先となる端末装置５０を特定する処理を行う。ここで、配信先情報４２２における対応対象情報と端末装置５０との対応付けは、画像解析装置６０から送信された関心位置情報に基づいて生成されたものである。したがって、画像解析装置６０が、（関心対象の識別子を示す）対応対象情報と当該関心対象の位置を示す対応位置情報とを関心位置情報として（関心領域パケットにより）送信することにより、当該関心対象の配信を要求する複数の端末装置５０に対しても、当該関心対象に対応する部分画像の配信用パケットを適切に配信することが可能となる。
なお、配信用パケットの種類も、拡張パケットの種類と同様に、ペイロード部の構成によって３種類に分類される。
【００７１】
配信用パケット生成部４３５は、画像列形式情報を含む拡張パケット（図８（ｂ））を受信した場合、画像列形式情報を含む配信用パケット（図１１（ｃ））を生成する。また、配信用パケット生成部４３５は、画像形式情報を含む拡張パケット（図８（ｃ））を受信した場合、画像形式情報を含む配信用パケット（図１１（ｄ））を生成する。一方、配信用パケット生成部４３５は、画像列形式情報及び画像形式情報を含まない拡張パケット（図８（ｄ））を受信した場合、画像列形式情報及び画像形式情報を含まない配信用パケット（図１１（ｅ））を生成する。
【００７２】
次に、図５のステップＳ１１４において、パケット配信部４３６は、配信用パケット生成部４３５が生成した配信用パケットを通信部４１を介して、配信用パケットに含まれる配信先端末アドレスの各端末装置５０に送信する（ステップＳ１１４）。次に、各端末装置５０は、通信部を介して配信制御装置４０から配信用パケットを受信する（ステップＳ１１５）。次に、各端末装置５０は、受信した配信用パケットのペイロード部を復号して部分画像を復元し、表示部に表示する（ステップＳ１１５）。なお、本実施形態では、スライス単位の画像データをペイロード部に含まれる部分画像データとしている。したがって、各端末装置５０では、撮像画像の内、受信した配信用パケットに含まれるスライスの領域のみが表示され、他のスライスの領域については表示されない（黒色表示される）。これにより、データ配信システム１の全体動作シーケンスは終了する。
【００７３】
なお、配信制御装置４０のパケット配信部４３６は、所定の条件を満たす場合に限り、各配信用パケットを配信してもよい。
例えば、パケット配信部４３６は、警備装置２０が監視対象を警備中である場合に限り、各配信用パケットを配信してもよい。その場合、配信制御装置４０は、記憶部４２に、警備装置２０に「警備」が設定されているか「非警備」が設定されているか、即ち警備装置２０が監視対象を警備中であるか否かを示す警備状態情報を記憶しておく。上記したように、画像パケットに含まれる撮像画像は、警備装置２０により警備される監視対象を撮像した画像である。パケット配信部４３６は、警備装置２０が監視対象を警備中でない場合は、各配信用パケットを配信せずに、警備装置２０が監視対象を警備中である場合に限り、各配信用パケットを配信する。
これにより、警備装置２０が監視対象を警備中でない場合は、各端末装置５０が受信するパケットのデータ量を低減させてネットワーク負荷を軽減させつつ、警備装置２０が監視対象を警備中である場合は、各端末装置５０に画像を表示させることが可能となる。
【００７４】
また、画像解析装置６０は、配信制御装置４０から拡張パケットを受信することにより、撮像画像を取得するのではなく、他の方法により撮像画像を取得してもよい。例えば、画像解析装置６０は、データ送信装置３０から拡張パケットを受信することにより、撮像画像を取得してもよいし、画像送信装置１０から画像パケットを受信することにより、撮像画像を取得してもよい。
【００７５】
また、配信制御装置４０は、配信先要求情報４２１において記憶されている関心対象情報に係る関心対象が、画像解析装置６０から受信した関心位置情報に係る関心対象に対応する端末装置５０を特定せずに、予め定められた所定の端末装置５０に配信用パケットを配信してもよい。
【００７６】
以上説明してきたように、本発明の一実施形態に係るデータ配信システム１では、配信制御装置４０が、撮像画像内の部分画像に係るパケットについて、部分画像に関心対象が写っているパケットを特定し、その特定したパケットのみを端末装置５０に配信する。これにより、データ配信システム１は、端末装置５０に対して関心対象が写っている部分画像のパケットのみを配信することができ、各端末装置５０が受信するパケットのデータ量を低減させてネットワーク負荷を軽減させることが可能となる。
また、配信制御装置４０は、パケットを配信すべき端末装置５０を即時に特定し、配信するため、受信したパケットを長期にわたって保持しておく必要がない。したがって、配信制御装置４０における記憶容量の低減を図ることが可能となる。
また、配信制御装置４０は、所定のデータに係るパケットを、パケット単位で取捨選択することによって、各端末装置５０へ割り振るため、パケットから撮像画像を再構成して端末装置５０が必要とする部分画像を切り出すような画像変換を実行する必要がなく、処理負荷を軽減させることが可能となる。
また、配信制御装置４０は、データのヘッダ部のみにアクセスすればよく、ペイロード部（データ自体）にアクセスする必要がないため、配信制御装置４０の管理者によるデータの閲覧を難しくすることが可能となり、セキュリティ性の向上及びプライバシーの保護を図ることが可能となる。特に、ペイロード部のデータを暗号化して送信した場合であっても、ヘッダ部のみに基づいてパケット単位で取捨選択できるため、配信制御装置４０におけるデータの閲覧をより一層困難にすることができる。
【符号の説明】
【００７７】
１    データ配信システム
１０    画像送信装置
２０    警備装置
３０    データ送信装置
４０    配信制御装置
５０    端末装置
６０    画像解析装置
４２    記憶部
４３１    拡張パケット受信部
４３２    関心位置情報受信部
４３３    配信先情報更新部
４３４    特定部
４３５    配信用パケット生成部
４３６    パケット配信部
【図１】
2018129588.tif 000003
【図２】
2018129588.tif 000004
【図３】
2018129588.tif 000005
【図４】
2018129588.tif 000006
【図５】
2018129588.tif 000007
【図６】
2018129588.tif 000008
【図７】
2018129588.tif 000009
【図８】
2018129588.tif 000010
【図９】
2018129588.tif 000011
【図１０】
2018129588.tif 000012
【図１１】
2018129588.tif 000013
【図１２】
2018129588.tif 000014